(57)【要約】【課題】  誤って踏みつけた場合、ケガを低減することを目的とする。【解決手段】  外ケース２と、該外ケース２内に収納される交直変換電気回路３と、前記外ケースの一平面２ｘに配置された一対のプラグ刃４を備える交直変換アダプター１であって、前記プラグ刃４が配置された前記一平面２ｘと対向する前記外ケース２の他面が曲面２ｙであり、該曲面２ｙを下に、前記プラグ刃４を上にして前記交直変換アダプター１を水平面上に置いたとき、前記プラグ刃４が傾いた方向に移行することをを特徴とする。【選択図】  図２
2005243302.tif 000002
【特許請求の範囲】
【請求項１】
外ケースと、該外ケース内に収納される交直変換電気回路と、前記外ケースの一平面に配置された一対のプラグ刃を備える交直変換アダプターであって、
前記プラグ刃が配置された前記一平面と対向する前記外ケースの他面が曲面であり、
該曲面を下に、前記プラグ刃を上にして前記交直変換アダプターを水平面上に置いたとき、前記プラグ刃が傾いた方向に移行することをを特徴とする交直変換アダプター。
【請求項２】
前記他面が、円柱を軸方向に半分に分割した外形形状を有することを特徴とする請求項１の交直変換アダプター。
【請求項３】
前記一平面と平行な面により、前記外ケースを、前記曲面を含む曲面領域と、前記曲面を含まない本体領域に区分したとき、前記交直変換アダプターの重心が前記本体領域内に位置することを特徴とする請求項１の交直変換アダプター。
【請求項４】
前記本体領域内に、トランスを配置することにより、前記交直変換アダプターの重心が前記本体領域内となることを特徴とする請求項３の交直変換アダプター。
【発明の詳細な説明】
【技術分野】
【０００１】
本発明は、商用交流電源のコンセントに差し込んで利用する交直変換アダプターに関する。
【背景技術】
【０００２】
直流を電源とする電子機器に家庭内の商用交流を利用するに際しては、コンセントに差し込む交直変換アダプターを利用している。下記の特許文献１に開示されるように、このような直交変換アダプターは、外ケースは略箱形状であって、外ケースの一平面にプラグ刃が設置されている。
【特許文献１】実開平４−６８７４７号
【発明の開示】
【発明が解決しようとする課題】
【０００３】
このような交直変換アダプターを、プラグ刃を上にした状態で、床等の上に置いた場合、外ケースが箱形状であるので、プラグ刃が上を向いたままで安定して置かれることになる。このような状態のアダプターは、プラグ刃が上を向いているので、誤って踏みつけた場合、突出したプラグ刃の先端で足の裏等をケガする危険がある。
【０００４】
本発明は、このような問題を解消するために成されたものであり、安全な交直変換アダプターを提供することを目的とする。
【課題を解決するための手段】
【０００５】
本発明は、外ケースと、該外ケース内に収納される交直変換電気回路と、前記外ケースの一平面に配置された一対のプラグ刃を備える交直変換アダプターであって、前記プラグ刃が配置された前記一平面と対向する前記外ケースの他面が曲面であり、該曲面を下に、前記プラグ刃を上にして前記交直変換アダプターを水平面上に置いたとき、前記プラグ刃が傾いた方向に移行することをを特徴とする。
【発明の効果】
【０００６】
本発明は、プラグ刃が配置された一平面と対向する外ケースの他面が曲面であるので、他面の曲面を下に、プラグ刃を上にして交直変換アダプターを床等の上に置いたとき、プラグ刃が傾いた方向に移行することになる。よって、プラグ刃の先端を踏むことがなくなるので、プラグ刃の先端で、足の裏等がケガすることがない。
【発明を実施するための最良の形態】
【０００７】
以下、本発明の実施例を図面に基づいて説明する。ただし、以下に示す実施例は、本発明の技術思想を具体化するための交直変換アダプターを例示するものであって、本発明は交直変換アダプターを以下のものに特定しない。
【０００８】
本発明の交直変換アダプター１は、プラスチック材料からなる外ケース２と、この中に収納される交直変換電気回路３と、外ケース２の一平面２ｘに配置された一対のプラグ刃４、４とを備えている。プラグ刃４は、通常、日本国内で利用される形状のもので、細長く延在する金属板である。
【０００９】
外ケース２は、２分割されており、プラグ刃４が配置された一平面２ｘを含む第１ケース２Ａと、これに嵌合し、一平面２ｘと対向する他面が曲面２ｙである第２ケース２Ｂとからなる。
【００１０】
そして、外ケース２の外形は、一平面２ｘと平行な面により、曲面２ｙを含む曲面領域２Ｒと、曲面２ｙを含まない本体領域２Ｓに区分される。曲面領域２Ｒは、概略、円柱を軸方向に半分に分割した外形形状を有している。また、本体領域２Ｓは、概略、一平面２ｘと対向する面が開放された箱形状である。
【００１１】
以下に、外ケース２の内部に配置される交直変換電気回路３について説明する。交直変換電気回路３は、プラグ刃４を介して入力される交流の電圧を降圧するトランス３１と、これからの出力を整流し平滑化する各種電気素子を配置したプリント基板３２とからなり、外ケース２内に、固定配置されている。トランス３１は、１次巻線３１Ａと２次巻線３１Ｂと鉄心３１Ｃとからなる。そして、これらトランス３１と、プリント基板３２は、外ケース２の本体領域２Ｓに配置されることになる。プリント基板３２からの出力は、出力コード５を介して、外部の別途用意される電気機器（図示せず）に出力される。
【００１２】
また、このようなトランス３１は、プラスチック材料からなる外ケース２、プリント基板３２等と比較して、比重、重量が大きいものである。従って、交直変換アダプター１全体の重心Ｍは、概略、トランス３１単体の重心の位置と同じ箇所となり、全体の重心Ｍが外ケース２の本体領域２Ｓに位置することになる（図２参照）。
【００１３】
本実施例の交直変換アダプター１は、以上の構造であり、これを水平面である床Ｆ等に置いたときの様子について、以下に説明する。まず、プラグ刃４、４の延在方向の先端を上にした状態で、交直変換アダプター１を床Ｆの上に置くと、他面が曲面２ｙであるので、交直変換アダプター１が図２（ａ）の点線矢印のいずれかの方向に傾くので、プラグ刃４も傾いて、図２（ａ）の点線で示されるように、プラグ刃４の延在方向が水平方向に倒れることになる。よって、たとえ、足の裏等でプラグ刃４を踏むことがあっても、プラグ刃の先端が水平の横方向に向いているので、プラグ刃４の先端を上から踏むことはなく、ケガするのを低減することができる。
【００１４】
また、図２（ａ）、（ｂ）において、２点鎖線で示される平面は、従来例のように、外ケース２を略箱型とした場合を示すものであり、この場合、２点鎖線で示される面が平面であることより、プラグ刃４の先端が上を向いたまま、床Ｆ上に安定して位置することになるので、プラグ刃４の先端を、足の裏等で踏む危険がある。
【００１５】
本発明の実施例においては、他面が曲面２ｙであると共に、重心が本体領域２Ｓ内に位置することになるので、プラグ刃４が横方向に倒れ易くなっている。これに反し、仮に、重心が曲面領域２Ｒ内に位置するなら、玩具の起上り子法師  起上りだるまと呼ばれるもののように、他面が曲面２ｙであるにしても、プラグ刃４の先端が上方向に向くことなる。
【図面の簡単な説明】
【００１６】
【図１】本発明の一実施例を示す図であり、（ａ）は正面図、（ｂ）は側面図、（ｃ）は背面図、（ｄ）は平面図である。
【図２】本発明の一実施例を床上に置いたときの状態を示す図であり、（ａ）は図１（ａ）にＡ−Ａ線断面に相当する断面図であり、（ｂ）は図１（ａ）のＢ−Ｂ線断面に相当する断面図である。
【符号の説明】
【００１７】
１    交直変換アダプター
２    外ケース
２Ｒ  曲面領域
２Ｓ  本体領域
２ｘ  一平面
２ｙ  曲面
３    交直変換電気回路
３１  トランス
３２  プリント基板
４    プラグ刃
【図１】
2005243302.tif 000003
【図２】
2005243302.tif 000004